(57)【要約】【課題】部品の共有化ができるとともに、容易に配光制御手の装着が可能な照明器具を提供することを目的とする。【解決手段】配光制御手段13の開口部13aはランプ12突出部12aを挿通可能に形成するとともに、開口部13a周囲に当接部13bを形成しているので、単にランプ12を配光制御手段13の投光開口部13cから挿入させ、ランプ12環状部12cと配光制御手段13の当接面を当接させるのみで、配光制御手段13の自重によりランプ環状部12cに引っ掛けている状態で配光制御手段13を保持することができる。【選択図】図１
2011103226.tif 000002
【特許請求の範囲】
【請求項１】
一方側にソケットが取り付けられるとともに、他方側に開口部を有する器具本体と；
一面側の中央に円柱状の突出部、円柱状の周囲に環状部が形成された口金部を有するとともに、他面側に光源が設けられた偏平形のランプと；
一方側にはランプ環状部と当接する当接部を有し、一方側から他方側に向けて延在する周壁部によりランプを包囲し、器具本体内に着脱可能に配設される配光制御手段と；
を具備していることを特徴とする照明装置
【請求項２】
配光制御手段の照射面周囲には、枠部が一体形成されていることを特徴とする請求項１記載の照明器具。
【発明の詳細な説明】
【技術分野】
【０００１】
本発明は、扁平状でその一面側に口金部が設けられるとともに他面側に光源が配置されたランプ装置を有する照明器具に関する。
【背景技術】
【０００２】
従来、ＩＥＣ（国際電気標準会議）で規格されたＧＸ５３形の口金部を用いたランプ装置がある。このランプ装置は、扁平状で、その上面側にＧＸ５３形の口金部が設けられているとともに、下面側に蛍光ランプやＬＥＤ等を用いた平面形の光源が配置され、内部に光源を点灯させる点灯回路が収容され、上面側と下面側とのなす高さ方向の寸法が小さい薄形に構成されている。
【０００３】
口金部の上面には、ランプ装置の高さ方向を軸方向として、ランプピンが突出されている。そして、ランプ装置のランプピンをソケット装置のソケット部に下方から挿入し、ランプ装置を回動させてランプピンをソケット部に引っ掛けることにより、ランプ装置をソケット装置に保持するとともに、ランプピンにソケット部の受金が接触してランプピンに電源を供給するように構成されている（例えば、特許文献１参照。）。
【先行技術文献】
【特許文献】
【０００４】
【特許文献１】特開２００７−１５７３６７号公報
【発明の概要】
【発明が解決しようとする課題】
【０００５】
このようなランプ装置は、器具取り付け後に照射方向を変更したり、間接照明としても使用する場合には、器具本体を取り替える必要があり、部品の共有化を図ることが困難であった。
【０００６】
本発明は、このような点に鑑みなされたもので、部品の共有化が図れるとともに、使用者が好みに合った配光とするための配光手段を着脱可能とする照明器具を提供することを目的とする。
【課題を解決するための手段】
【０００７】
請求項１記載は、一方側にソケットが取り付けられるとともに、他方側に開口部を有する器具本体と；一面側の中央に円柱状の突出部、円柱状の周囲に環状部が形成された口金部を有するとともに、他面側に光源が設けられた偏平形のランプと；一方側にはランプ環状部と当接する当接部を有し、一方側から他方側に向けて延在する周壁部によりランプを包囲し、器具本体内に着脱可能に配設される配光制御手段と；を具備していることを特徴とする照明装置である。
【０００８】
器具本体の形状は少なくとも一方側に照射面可能な開口部を有していれば特に限定されるものではない。またその材質は限定されるものではなく、例えば樹脂により器具本体を形成することで器具本体の軽量化が図れ、金属により形成することで、放熱性を高めることができる。
【０００９】
器具本体の内面が反射作用を有する場合、器具本体内に配設される配光制御手段は、器具本体内面の反射角度とは異なる反射作用を有していても、樹脂やガラスなどにより形成され、拡散作用、導光作用を有するものであっても構わない。
【００１０】
配光制御手段のランプ環状部と当接する当接部は、環状部全面に当接する同形状の環状に形成されていても、ランプ環状部の周方向において部分的に当接する当接部を有するものであってもその形状は限定されるものではない。要は、ネジなどにより互いを係合するものではなく、単にランプ環状部と当接することで、ランプを包囲し取付可能であればその形状および材質などは限定されるものではない。
【００１１】
また、器具本体には点灯回路とランプ装置を電気的に接続する接続部材などを取り付けても構わない。
【００１２】
ランプの口金部は、例えばＧＸ５３形などの口金構造が用いられ、光源は、ＬＥＤ、有機ＥＬ、平面形の放電ランプなど、平面形で薄形の光源であればいずれでも構わない。また、この光源を覆うグローブをランプ装置に取り付けてもよい。
【００１３】
ランプ装置を点灯させる点灯回路は、ランプ装置本体内に収納されていても、ランプ装置の他面側に光源と一緒に配置されていても構わない。
【００１４】
請求項２記載の照明器具は、請求項１記載の照明器具において、配光制御手段の照射面周囲には、枠部が一体形成されていることを特徴とするものである。
【００１５】
配光制御手段の照射面周囲に形成される枠部は、器具本体の開口部周囲の天井面よりも突出していても天井面と略同一面となるように形成されていても構わない。
【発明の効果】
【００１６】
請求項１記載の照明器具によれば、配光制御手段が偏平なランプの環状部に当接することで取り付けられているとともに、ランプを収容して器具本体側に取り付けられているので、器具本体を各種器具の仕様毎に設計する必要がなくなり、部品を共有化して製品コストを抑えることができる。
【００１７】
請求項２記載の照明器具によれば、請求項１記載の照明器具の効果に加えて、配光制御手段の照射面周囲に枠部が一体成形されているので、天井面へ間接光を照射することができる。
【図面の簡単な説明】
【００１８】
【図１】本発明の第１の実施形態に係る埋め込み形照明器具を示す組立概略図。
【図２】同上配光制御手段にランプを挿入した状態の上面斜視図。
【図３】他の配光制御手段を示す斜視図。
【発明を実施するための形態】
【００１９】
以下、本発明の実施の形態を、図面を参照して説明する。
【００２０】
図１および図２に第１の実施の形態を示し、図１は埋め込み形照明器具の概略を示す組立図、図２は配光制御手段にランプを挿入した状態の上面斜視図である。
【００２１】
照明器具は、例えばダウンライトであり、10は器具本体、器具本体10内に取り付けらソケット1１、ソケット11に取り付けられるランプ12、ランプ12に当接することで保持されるとともに、器具本体10内に着脱可能取り付けられる配光制御手段13を備えている。なお、以下、これらの上下方向などの方向関係は、ランプ12を水平に取り付ける状態を基準として、口金側を一方側、光源側を他方側として説明する。
【００２２】
器具本体10は、樹脂により閉塞された一方側から他方側へ湾曲状に折り曲げられた器具本体周壁10a、器具本体周壁10aに囲まれ他方側に投光開口部10bを有し略円筒状に形成され、内面は反射作用を有すよう例えば金属蒸着などにより反射面が形成されている。また、投光開口部10b周囲には周縁10cが一体的に形成されている。器具本体10の一方側には、ソケット11などを取り付けるための図示しないネジ孔を有するとともに、点灯ユニットと接続可能な接続ユニット10dが取り付けられている。また、天井内に埋め込まれる器具本体と天井裏面を固定する図示しない一対の取付ばねなどが取り付けられている。
【００２３】
器具本体10内には、樹脂性の導光性を有する配光制御手段13が配設されている。配光制御手段13の一方側には、ランプ12口金側の円筒状の突出部12aが挿通可能な略円形の開口部13aを有するとともに、開口部13a周囲には、環状の当接部13b、当接部13bから他方側に位置する投光開口部13cに向けて略拡開するよう周側部13dを有し、器具本体10内に挿入可能な形状に形成されている。また配光制御手段13の投光開口部13cから連続する周囲には、器具本体10の周縁10cを覆う枠部13eが形成されている。なお、本実施の形態の配光制御手段13は、開口部13a周方向に複数の切り欠き部13eが形成されている。
【００２４】
ソケット11には、器具本体10一方側に形成された図示しないネジ孔に対向した孔が形成されており、ネジなどにより器具本体10に取り付けられる。
【００２５】
また、このソケット10の中央にはランプ12の突出部12aを挿入可能な中央開口部11aおよびランプピン12bに対向する一対の接続孔が上下方向に貫通形成されている。
【００２６】
ランプ12は、一方側である上側にＧＸ５３形の口金部外形70〜75mm程度に形成され、他方側である下面側に図示しないＬＥＤを覆うグローブ12bが取り付けられるとともに内部に点灯回路が収容されている。
【００２７】
また、ランプ10の口金部には、配光制御手段13の当接部13bに当接する環状部12cが形成され、この環状部12cの中央からソケット11の中央開口部11aに挿入する円柱状の突出部12aが形成されている。また、口金部の環状部12cから発光部にかけて、略円筒形に形成されており、円筒形をなす口金側である環状部12cを含む上部側領域には複数の放熱フィンが形成されている。
【００２８】
環状部12cには、導電性を有する金属製の一対のランプピン12bが突出するよう配設されている。各ランプピン12bはソケット11の各接続孔に挿入され、ランプ12を回動させランプピン12bが接続孔に移動することにより、ランプピン12bが受金に電気的に接触されるとともに、接続孔の縁部に引っ掛かって、ランプ12をソケット11に保持するよう構成されている。
【００２９】
また、グローブ12bは、透光性を有する透明あるいは光拡散性を有する合成樹脂により形成されている。
【００３０】
次に、第１の実施の形態の動作を説明する。
【００３１】
まずソケット11を器具本体10内上面に配設しネジなどにより取り付ける。次に、配光制御手段13の投光開口部13cからランプ12の口金側から挿入し、配光制御手段13の開口部13aにランプ12の突出部12aおよびランプピン12bを挿入し、ランプ12の環状部12cと配光制御手段13の当接部13bを当接させた状態で、配光制御手段13投光開口部13cからランプ12下面を押し上げるようにしてランプ12をソケット11に取り付ける。
【００３２】
このように、配光制御手段13の開口部13aはランプ12突出部12aを挿通可能に形成するとともに、開口部13a周囲に当接部13bを形成しているので、単にランプ12を配光制御手段13の投光開口部13cから挿入し、ランプ12環状部12cと配光制御手段13の当接面を当接させるのみで、配光制御手段13は自重によりランプ環状部12cに引っ掛かる状態で配光制御手段13を保持することができる。また、配光制御手段13の当接部13bに切り欠き部13eを形成しているので、点灯中ランプ12から発する熱をその切り欠き部13eの隙間を介して放熱することも考えられる。さらに、使用者が容易に好みの配光を得ることができるとともに、器具本体10などの部品の共通化が図れるため、コスト低減をも可能となる。さらに、ダウンライト特有の直下配光に加え、配光制御手段13から照射される柔らかな光を天井面および下方向に照射することができる。
【００３３】
なお、図３は他の配光制御手段13を示す斜視図。図３の配光制御手段13の当接部13bの形状を除き、図１および図２に示す照明器具10と同一であり、同符号を用いて説明する。
【００３４】
図３に示す配光制御手段13は、透光性および導光性を有する樹脂などからなり、ランプ12外径よりもやや大きい内径を有する中空円筒状の周壁部13d、この周壁部13dの一方側には、周壁部13dから延在しランプ12の環状部12cに当接する当接部13bが形成されているとともに、当接部13bに囲まれ、ランプ12突出部12aを挿通可能な開口部13aが形成されている。周壁部13dの他方側には、周壁部13dから延在し、投光開口部13c周囲から一体的に器具本体10の投光開口部10b周方向に形成された周縁部10c方向に延在するとともに、天井面から他方側に厚みをもった枠部13fが形成されている。
【００３５】
このように、配光制御手段13に枠部13fに厚みを持たせることで、ランプから照射される直下方向の照射に加え、配光制御手段13の枠部13fから照射される柔らかな光を直下方向および天井面へより一層多くの光を照射することができる。さらに、配光制御手段13の周壁部13dに囲まれた空間をランプ直径と略同等にするとともに、当接面積を広げることで、ランプ12と配光制御手段13の取付時のがたつきを抑制することができる。また、ランプ12を取り外す際、配光制御手段13の枠部13fをランプ取り外し方向に回転させることで、ランプを取り外すことも可能となる。
【符号の説明】
【００３６】
10・・・照明器具、11・・・ソケット、12・・・ランプ、12c・・・環状部、13・・・配光制御手段、13b・・・当接部
【図１】
2011103226.tif 000003
【図２】
2011103226.tif 000004
【図３】
2011103226.tif 000005